(57)【要約】【課題】自体は異物の付着が問題にならない組付け部品であっても、その組付け部品を組付ける直前に異物を効率よく除去し、異物の付着が問題になる他の部品に異物が移るのを解消する。【解決手段】異物除去装置であって、機器組立て用の作業台１０に、異物除去の対象となる組付け部品３０を取付けることが可能な弾性バー１４が設けられている。同じく作業台１０に対し、弾性バー１４の周辺の空気を吸引することが可能であるとともに、その吸引力によって弾性バー１４を繰り返し撓ませて組付け部品３０に振動を与えることが可能な吸引手段２０が設けられている。【選択図】図１
2010188222.tif 000002
【特許請求の範囲】
【請求項１】
機器組立て用の作業台に、弾性によって撓むことが可能で、かつ、異物除去の対象となる組付け部品を取付けることが可能な弾性バーが設けられ、同じく作業台に対し、弾性バーの周辺の空気を吸引することが可能であるとともに、その吸引力によって弾性バーを繰り返し撓ませて組付け部品に振動を与えることが可能な吸引手段が設けられている異物除去装置。
【請求項２】
請求項１に記載された異物除去装置であって、
弾性バーは、その基端部が作業台のステーに固定されているとともに、その先端部に異物除去の対象となる組付け部品を掛けることが可能なフックが結合され、
吸引手段は、弾性バーおよびフックの下方において上面が開放され、かつ、ステーに支持された容器と、この容器の底部に開けられた貫通孔に接続されて空気を吸引することが可能な吸引パイプとを備えている異物除去装置。
【請求項３】
請求項２に記載された異物除去装置であって、
吸引手段における容器の上面側に、空気が供給されるチューブが開放部の周囲に沿って設けられ、このチューブには容器内に向けて空気を吹き出す複数の孔が開けられている異物除去装置。
【発明の詳細な説明】
【技術分野】
【０００１】
本発明は、カーナビゲーション等の機器を組立てる際に、複数の組付け部品における特定の組付け部品に付着している異物を除去するための異物除去装置に関する。
【背景技術】
【０００２】
カーナビゲーションのような機器を組立てる際には、微少な異物の存在でも問題になることがある。例えばディスプレイの表示面には、多層構造になっているものがあり、層間に異物が入り込むと、表示画質がわるくなり、プリント基板の実装面に異物が付着していると電気回路の作動に支障をきたす。また、ディスプレイを開閉させる機構のギヤ部分に異物が噛み込むと、開閉機構の円滑な作動を妨げることになる。
そこで、例えば特許文献１には、プリント基板の実装面に付着した異物を除去するための装置が開示されている。この装置では、所望の姿勢に保持したプリント基板に対し、電磁バイブレータで発生する連続衝撃波を伝達するように構成されている。
【先行技術文献】
【特許文献】
【０００３】
【特許文献１】特開２００７−８２４号公報
【発明の概要】
【発明が解決しようとする課題】
【０００４】
ところで、カーナビゲーションのような機器は多数の組付け部品によって組立てられており、プリント基板のように異物の付着が問題になる部品とは別に、それ自体は異物が付着していても問題にならない部品もある。このため、特許文献１のような装置を用いてプリント基板から異物を予め除去しておいても、機器を組立てる際に該プリント基板に対して異物の付着が問題にならない部品から異物が移ってしまう場合がある。
【０００５】
本発明は、このような課題を解決しようとするもので、その目的は、それ自体は異物の付着が問題にならない組付け部品であっても、その組付け部品を組付ける直前に異物を効率よく除去し、プリント基板等に異物が移るのを解消することである。
【課題を解決するための手段】
【０００６】
本発明は、上記の目的を達成するためのもので、以下のように構成されている。
第１の発明は、機器組立て用の作業台に、弾性によって撓むことが可能で、かつ、異物除去の対象となる組付け部品を取付けることが可能な弾性バーが設けられている。同じく作業台に対し、弾性バーの周辺の空気を吸引することが可能であるとともに、その吸引力によって弾性バーを繰り返し撓ませて組付け部品に振動を与えることが可能な吸引手段が設けられている。
【０００７】
このように、吸引手段による空気の吸引と同時に、その吸引力を利用して組付け部品を振動させることにより、組付け部品に付着している埃などの異物を効率よく吸い取って除去することができる。しかも、カーナビゲーション等の機器を組立てる作業台において、異物除去の対象となる組付け部品を組付ける直前に、この組付け部品の異物を除去できるので、該組付け部品は異物の付着が問題にならないものであっても、そこからカーナビゲーション等のプリント基板のように異物の付着が問題になる部品に異物が移るのを解消できる。
【０００８】
第２の発明は、第１の発明において、弾性バーの基端部が作業台のステーに固定されているとともに、弾性バーの先端部に異物除去の対象となる組付け部品を掛けることが可能なフックが結合されている。吸引手段は、弾性バーおよびフックの下方において上面が開放され、かつ、ステーに支持された容器と、この容器の底部に開けられた貫通孔に接続されて空気を吸引することが可能な吸引パイプとを備えている。
【０００９】
これにより、組付け部品から離脱した異物が容器内に集まって空気と共に吸引パイプに吸い込まれることとなり、さらに効率よく異物を除去することができる。
【００１０】
第３の発明は、第２の発明において、吸引手段における容器の上面側に、空気が供給されるチューブが開放部の周囲に沿って設けられている。このチューブには容器内に向けて空気を吹き出す複数の孔が開けられている。
【００１１】
この構成では、弾性バーに取付けられている組付け部品に対し、その周囲から空気を吹き付けながら異物を除去できるので、作業効率がさらに向上する。
【図面の簡単な説明】
【００１２】
【図１】異物除去装置を表した側面図。
【図２】異物除去装置を表した正面図。
【図３】異物除去装置を表した平面図。
【発明を実施するための形態】
【００１３】
以下、本発明を実施するための形態を、図面を用いて説明する。
図１に示されている作業台１０は、例えばカーナビゲーションの組立て用であって、この作業台１０には上方へ延びるステー１２が固定されている。ステー１２の上端寄りには、このステー１２から水平方向へ延びる弾性バー１４の基端部が固定されている。この弾性バー１４は、コイルスプリングなどの弾性部材からなり、その弾性によって上下左右に撓むことが可能である。
【００１４】
弾性バー１４の先端部には、ナット１６が固定されている。このナット１６にはフック１８が、その基部のネジ部１８ａをねじ込むことによって結合されている。そして、このフック１８は、異物除去の対象となる組付け部品３０を掛けることが可能である（図１、図２）。なお、この組付け部品３０は、カーナビゲーションを構成する各部品間の隙間詰めに用いるシール材や振動を吸収するクッション材といった部品で、それ自体は異物が付着していても問題のないものである。
【００１５】
弾性バー１４およびフック１８の下方には、吸引手段２０が配置されている。この吸引手段２０は、容器２２と吸引パイプ２６とを主体として構成されている。容器２２は、ステー１２に支持ブラケット２４で支持されている。この容器２２の上面は、弾性バー１４およびフック１８の下方で開放した開放部２２ａになっているとともに、容器２２の底部中央には貫通孔２２ｂが開けられている。
【００１６】
吸引パイプ２６の一端は容器２２の貫通孔２２ｂに接続され、吸引パイプ２６の他端は圧縮空気を駆動源として吸引力を発揮する集塵機（図示省略）に接続されている。したがって、この吸引パイプ２６を通じて容器２２の内部およびフック１８を含む弾性バー１４の周辺の空気を連続的に吸引することができる。なお、集塵機には例えば商品名「ワンダーガンW101シリーズ」（株式会社オオサワ製）で、約0.5Mpaの圧力による吸引力を発揮でき、かつ、集塵袋も備えたタイプが使用される。
【００１７】
容器２２上面の開放部２２ａには、その内周に沿ってチューブ２８が設けられている。このチューブ２８には、コンプレッサー等の空気供給源（図示省略）から約0.5Mpaの圧力の空気が連続的に供給されるようになっている。そして、チューブ２８には、容器２２の中心に向けて空気を吹き出すための小径（直径1mm程度）の孔２８ａが所定の間隔（約30mm間隔）で複数個開けられている（図３）。これにより、チューブ２８に供給された圧縮空気は、各孔２８ａからフック１８のやや下方の容器２２内に向けて勢いよく吹き出される。
【００１８】
異物除去の対象となる組付け部品３０は、例えば一辺が数センチメートの矩形枠形状のクッション材であり、この組付け部品３０の適当な箇所をフック１８に掛けて容器２２内に吊り下げた状態にする（図１および図２）。ここで、前述の集塵機（図示省略）を駆動させ、吸引パイプ２６を通じて容器２２内およびフック１８を含む弾性バー１４の周辺の空気を連続的に吸引する。これと並行して容器２２の開放部２２ａ内周に設けられているチューブ２８に圧縮空気を供給し、このチューブ２８の各孔２８ａからフック１８に吊り下げられている組付け部品３０に向けて空気を連続的に吹き付ける。
【００１９】
これにより、組付け部品３０に付着している埃などの異物が除去され、容器２２内の空気と共に吸引パイプ２６に吸い込まれて集塵機に回収される。しかも、組付け部品３０が掛けられているフック１８は弾性バー１４によってステー１２に支持されているため、容器２２内の空気が吸引パイプ２６を通じて吸引されると、この吸引力によってフック１８が組付け部品３０と共に細かく振動する。この結果、組付け部品３０に付着している異物の除去が促進される。
また、この異物除去装置はカーナビゲーション等の機器を組立てる作業台１０に設けられているので、組付け部品３０を組付ける直前に異物の除去が行える。したがって、この組付け部品３０は異物の付着が問題にならないものであっても、そこからカーナビゲーションのプリント基板のように異物の付着が問題になる部品に異物が移るのを解消できる。
【００２０】
以上は本発明を実施するための最良の形態を図面に関連して説明したが、この実施の形態は本発明の趣旨から逸脱しない範囲で容易に変更または変形できるものである。
例えば吸引手段２０において、吸引パイプ２６を通じて空気を連続的に吸引するための集塵機の形式は、前述の商品名「ワンダーガンW101シリーズ」に限るものではない。
また、異物除去に際してチューブ２８の各孔２８ａから組付け部品３０に空気を吹き付けることは必ずしも必要でなく、吸引パイプ２６による空気の吸引と、それに伴う組付け部品３０の振動だけでも異物除去の機能は充分に果たすことができる。
【符号の説明】
【００２１】
１０ 作業台
１４ 弾性バー
２０ 吸引手段
３０ 組付け部品
【図１】
2010188222.tif 000003
【図２】
2010188222.tif 000004
【図３】
2010188222.tif 000005